(57)【要約】      （修正有）【課題】鍋の底に単にセットするのみで、蒸し物を蒸すことが可能であって、しかも付着物の洗浄も容易である蒸し物載置具を提供する。【解決手段】鍋Ｐ内において蒸し物Ｄを載置させるための蒸し物載置具であって、蒸し物Ｄを直接に載置させるための網目板２１と、網目板２１を鍋Ｐ内において沸騰水の水面よりも所定高さだけ高い位置で支持可能とすべく、鍋Ｐ内に起立姿勢で配置される網目板支持体２２とを別体で構成する。【選択図】図４
0003156109.tif 000002
【実用新案登録請求の範囲】
【請求項１】
鍋内において蒸し物を載置させるための蒸し物載置具であって、
前記蒸し物を直接に載置させるための網目板と、当該網目板を前記鍋内において沸騰水の液面よりも所定高さだけ高い位置で支持可能とすべく、当該鍋内に起立姿勢で配置される網目板支持体とが、別体で構成されていることを特徴とする蒸し物載置具。
【請求項２】
前記網目板支持体は、リング円筒状であることを特徴とする請求項１に記載の蒸し物載置具。
【請求項３】
前記蒸し物載置具は、電源により加熱されるヒーターを備えたこんろ本体と、当該こんろ本体のヒーターの部分にセット可能な鍋とを備えた可搬式電気こんろを構成する当該鍋に使用されることを特徴とする蒸し物載置具。
【考案の詳細な説明】
【技術分野】
【０００１】
本考案は、一般の鍋の底に単に載せるのみで蒸し物を蒸すことができると共に、その洗浄も容易である蒸し物載置具に関するものである。
【背景技術】
【０００２】
家庭において蒸し物を蒸すには、専用の蒸し器が使用されている（例えば、特許文献１）。蒸し物を蒸して賞味する必要性は、家庭内のみならず、可搬的電気こんろを携帯して旅行等を行う場合においても生ずる。例えば、電源により加熱されるヒーターを有するこんろ本体と、当該ヒーターの部分にセット可能な専用の鍋とを備えた可搬式電気こんろは、旅行等の際に携帯して使用され、ホテル等において簡単にラーメン、スープ等を自身で調理して賞味できる。このような可搬式電気こんろに備え付けの専用の鍋により蒸し物を蒸そうとするには、何らかの簡便な蒸し物載置具が必要となる。
【０００３】
一方、一般家庭においても、専用の蒸し器を有していない場合には、通常の鍋により蒸し物を蒸すことができたら、大変に重宝である。
【先行技術文献】
【特許文献】
【０００４】
【特許文献１】実用新案登録第３１０９４９７号公報
【考案の概要】
【考案が解決しようとする課題】
【０００５】
本考案は、上記した事情を背景にしてなされたものであって、一般の鍋の底に単にセットするのみで、蒸し物を蒸すことが可能であって、しかも付着物の洗浄も容易である蒸し物載置具の提供を課題としている。
【課題を解決するための手段】
【０００６】
上記課題を解決するための請求項１の考案は、鍋内において蒸し物を載置させるための蒸し物載置具であって、前記蒸し物を直接に載置させるための網目板と、当該網目板を前記鍋内において沸騰水の液面よりも所定高さだけ高い位置で支持可能とすべく、当該鍋内に起立姿勢で配置される網目板支持体とが、別体で構成されていることを特徴としている。
【０００７】
請求項１の考案によれば、鍋底に網目板支持体を単に載せると共に、当該網目板支持体により網目板を支持し、当該網目板に蒸し物を載置して、鍋に収容された水を沸騰させるのみで、蒸し物を蒸すことができる。このため、一般の鍋の使用により蒸し物を蒸すことが可能となる。また、蒸し物載置具を構成する網目板と、当該網目板を支持するために鍋底部にセットされる網目板支持体とが別体で構成されていて、網目板と網目板支持体とを分離した状態で個別に洗浄できるので、当該網目板又は網目板支持体に付着した付着物を洗浄により容易に洗い落とすことができて、蒸し物載置具の洗浄が容易であると共に、常に清潔な状態で蒸し物載置具を使用できる。更に、一つの網目板に対して高さの異なる複数の網目板支持体を用意しておくことにより、深さの異なる鍋に対して自在に対応可能となる。
【０００８】
また、請求項２の考案は、請求項１の考案において、前記網目板支持体は、リング円筒状であることを特徴としている。
【０００９】
請求項２の考案によれば、網目板支持体がリング円筒状をなしていて、網目板に載置された蒸し物の一部が付着し易い角部、凹部等が一切存在しないので、付着物が少なくなると共に、形状からして洗浄自体が容易である。
【００１０】
また、請求項３の考案は、前記蒸し物載置具は、電源により加熱されるヒーターを備えたこんろ本体と、当該こんろ本体のヒーターの部分にセット可能な鍋とを備えた可搬式電気こんろを構成する当該鍋に使用されることを特徴としている。
【００１１】
請求項３の考案は、蒸し物載置具の使用対象の鍋が、旅行等の際に携帯してホテル等で使用されることの多い可搬式電気こんろを構成する鍋であるため、家庭以外の場所において、自らの調理による蒸し物の賞味が可能となる。
【考案の効果】
【００１２】
本考案によれば、鍋底に網目板支持体を単に載せると共に、当該網目板支持体により網目板を支持し、当該網目板に蒸し物を載置して、鍋に収容された水を沸騰させるのみで、蒸し物を蒸すことができる。このため、一般の鍋の使用により蒸し物を蒸すことが可能となる。また、蒸し物載置具を構成する網目板と、当該網目板を支持するために鍋底部にセットされる網目板支持体とが別体で構成されていて、網目板と網目板支持体とを分離した状態で個別に洗浄できるので、当該網目板又は網目板支持体に付着した付着物を洗浄により容易に洗い落とすことができて、蒸し物載置具の洗浄が容易であると共に、常に清潔な状態で蒸し物載置具を使用できる。
【図面の簡単な説明】
【００１３】
【図１】本考案に係る蒸し物載置具Ａ1 及び可搬式電気こんろＥのそれぞれの分離状態の斜視図である。
【図２】可搬式電気こんろＥの鍋Ｐの底に蒸し物載置具Ａ1 をセットする状態を示す斜視図である。
【図３】鍋本体１１の鍋底部１１ａに蒸し物載置具Ａ1 をセットした状態の平面図である。
【図４】可搬式電気こんろＥの鍋Ｐの鍋底部１１ａにセットされた蒸し物載置具Ａ1 の網目板２１に蒸し物Ｄを載せた状態の斜視図である。
【図５】同じく蒸している状態の断面図である。
【図６】蒸し物載置具Ａ2 を構成する網目板２１と網目板支持体２３とを分離させた状態の斜視図である。
【図７】蒸し物載置具Ａ3 を構成する網目板２１と網目板支持体２４とを分離させた状態の斜視図である。
【考案を実施するための形態】
【００１４】
以下、最適な複数の実施形態を挙げて、本考案を更に詳細に説明する。
【実施例１】
【００１５】
最初に、図１ないし図５を参照して、本考案の実施例１の蒸し物載置具Ａ1 について説明する。図１は、本考案に係る蒸し物載置具Ａ1 及び可搬式電気こんろＥのそれぞれの分離状態の斜視図であり、図２は、可搬式電気こんろＥの鍋Ｐの底に蒸し物載置具Ａ1 をセットする状態を示す斜視図であり、図３は、鍋本体１１の鍋底部１１ａに蒸し物載置具Ａ1 をセットした状態の平面図であり、図４は、可搬式電気こんろＥの鍋Ｐの鍋底部１１ａにセットされた蒸し物載置具Ａ1 の網目板２１に蒸し物Ｄを載せた状態の斜視図であり、図５は、同じく蒸している状態の断面図である。
【００１６】
最初に、可搬式電気こんろＥについて説明し、その後に、蒸し物載置具Ａ1 について説明する。可搬式電気こんろＥは、旅行等の際に携帯してホテル等で使用される電気こんろであって、図１ないし図５に示されるように、上面に円形のヒーター部１が形成されたこんろ本体Ｂと、当該こんろ本体Ｂのヒーター部１にセットされる鍋Ｐとから成る。こんろ本体Ｂは、平面視で方形状をなしていて、ヒーター部１が設けられている上側台盤部２と、床面等に設置される下側台盤部３とが所定の間隔をおいて一体化された構成であって、上側及び下側の各台盤部２，３の外周部の間に形成された方形枠状をした空間部は、前記ヒーター部１に給電するための電気コード４を巻回状態で収容するためのコード収容空間部５となっている。
【００１７】
鍋Ｐは、金属製であって、こんろ本体Ｂの平面形状に対応する方形状の平面形状を有し、鍋本体１１と蓋体１２とから成り、図５に示されるように、鍋本体１１の鍋底部１１ａの外側には、こんろ本体Ｂのヒーター部１に嵌め込まれる形態で、こんろ本体Ｂに対して鍋本体１１をセット可能な円形凹部１３が形成されている。方形状をした鍋本体１１の特定のコーナー部には、当該鍋本体１１を持上げ可能にするための一対のハンドル１４が当該鍋本体１１の隣接する側面に対して折畳み可能となって取付けられている。
【００１８】
次に、前記鍋本体１１の鍋底部１１ａに直接にセットされる蒸し物載置具Ａ1 について説明する。蒸し物載置具Ａ1 は、鍋本体１１の平面形状に対して僅かに小形相似形をなしていて、蒸し物Ｄを載置するための網目板２１と、当該網目板２１を鍋本体１１の鍋底部１１ａから所定高さの位置に配置可能とすべく、当該網目板２１を支持するためのリング円筒状の網目板支持体２２とから成り、網目板２１と網目板支持体２２とが別体で構成されていることに特徴を有している。網目板２１は、金属薄板で構成されて、水蒸気を通過可能な多数の小孔２１ａが形成され、鍋本体１１内へのセット、及び取り出しの双方が可能なように、各コーナー部は、鍋本体１１のコーナー部よりも大きな半径を有する円弧状に形成されている。これにより、図３に示されるように、鍋本体１１の鍋底部１１ａに蒸し物載置具Ａ1 をセットした状態で、鍋本体１１の各コーナー部と、網目板２１の各コーナー部との間には、人の指先を挿入可能な三日月状の指挿入隙間４１が形成され、当該隙間４１を利用して、鍋本体１１を横転又は反転させることなく、鍋本体１１内から網目板２１を取り出せれるように設計してある。一方、リング円筒状をした網目板支持体２２は、金属製であって、その外径は、前記網目板２１を支持可能な寸法であると共に、その高さは、鍋本体１１の高さ方向の中央部に網目板２１を配置可能な寸法を選択してある。
【００１９】
上記した蒸し物載置具Ａ1 を用いて、可搬式電気こんろＥにより蒸し物Ｄを蒸すには、以下のようにして行う。まず、図２に示されるように、こんろ本体Ｂにセットした鍋本体１１の鍋底部１１ａの中央部に網目板支持体２２をセットして、鍋本体１１に所定量の水Ｗを注ぐ。注ぐ水Ｗの量は、網目板支持体２２の高さのほぼ半分程度までが望ましい。なお、図２において、５１は、鍋本体１１に注がれた水Ｗの水面を示す。次に、図４に示されるように、網目板支持体２２に対して網目板２１を支持させ、当該網目板２１の上に蒸し物Ｄを載置して、鍋本体１１に対して蓋体１２を覆蓋させる。
【００２０】
そして、図５に示されるように、こんろ本体Ｂのヒーター部１により鍋本体１１内の水Ｗを加熱させて沸騰させると、沸騰水Ｗ’から発生する水蒸気Ｓにより蒸し物Ｄは蒸される。
【００２１】
このように、本考案に係る蒸し物載置具Ａ1 は、網目板２１と、当該網目板２１を支持する網目板支持体２２とが別体で構成されているので、高さ（Ｈ）の異なる複数の網目板支持具２２を用意しておくことにより、深さの異なる鍋に対しても使用可能になると共に、非使用時には網目板２１と網目板支持体２２とを分離して保管できるので、非使用時における取り扱いが容易である。また、網目板２１と網目板支持体２２とが別体で構成されていて、分離可能であるので、網目板２１と網目板支持体２２とを個別に洗浄できる。特に、実施例１の網目板支持体２２は、リング円筒状であるために、その洗浄は極めて容易である。この点、網目板２１と網目板支持体２２とが一体の場合には、両者の接合部である狭隘な部分に蒸し物Ｄの一部が喰い込んだりして、容易に洗浄除去できないために、不衛生となり易いが、本考案に係る蒸し物載置具Ａ1 によれば、この不具合が解消される。
【００２２】
なお、可搬式電気こんろＥを構成するこんろ本体Ｂと鍋Ｐとは、当該鍋Ｐ内に、当該こんろＥに備え付けの金属製のどんぶり（図示せず）を収容させた状態で、当該鍋Ｐを反転させてこんろ本体Ｂに覆い被せた状態で、全体が収納状態となる。本考案に係る蒸し物載置具Ａ1 を構成する網目板２１と網目板支持体２２とは、前記どんぶり内にがたつかないようにテープ類で仮固定することにより、当該蒸し物載置具Ａ1 を持ち忘れることなく、可搬式電気こんろＥと一緒に蒸し物載置具Ａ1 を運ぶことができる。
【実施例２】
【００２３】
図６は、実施例２の蒸し物載置具Ａ2 を構成する網目板２１と網目板支持体２３とを分離させた状態の斜視図である。実施例２の網目板支持体２３は、狭幅のリング体２３ａに複数本（実施例では４本）の脚体２３ｂが取付けられた構成であって、網目板２１は、リング体２３ａの上端面で支持される。実施例２において、各脚体２３ｂを伸縮可能な構成にすると、網目板支持体２３の高さを自在に調整できて、単一の網目板支持体２３により、高さの異なる複数の網目板支持体の機能を果す利点がある。
【実施例３】
【００２４】
図７は、実施例３の蒸し物載置具Ａ3 を構成する網目板２１と網目板支持体２４とを分離させた状態の斜視図である。網目板支持体２４は、正三角形状の支持体本体２４ａの各頂点の部分に、それぞれ脚体２４ｂが取付けられて、支持体本体２４ａの上端面で網目板２１が支持される構成である。
【００２５】
また、上記使用例では、可搬式電気こんろＥの鍋Ｐに蒸し物載置具Ａ1 〜Ａ3 をセットして、蒸し物Ｄを蒸す例であるが、一般家庭で使用される鍋に前記蒸し物載置具Ａ1 〜Ａ3 をセットして蒸し物を蒸すことも可能である。これにより、蒸し器を有しない家庭においても、蒸し物を蒸して賞味可能となる。
【符号の説明】
【００２６】
Ａ1 〜Ａ3 ：蒸し物載置具
Ｄ：蒸し物
Ｅ：可搬式電気こんろ
Ｐ：鍋
Ｓ：水蒸気
Ｗ’：沸騰水
２１：網目板
２１ａ：網目板の小孔
２２〜２４：網目板支持体
４１：指挿入隙間
５１：沸騰水の水面
【図１】
0003156109.tif 000003
【図２】
0003156109.tif 000004
【図３】
0003156109.tif 000005
【図４】
0003156109.tif 000006
【図５】
0003156109.tif 000007
【図６】
0003156109.tif 000008
【図７】
0003156109.tif 000009
【手続補正書】
【提出日】平成21年10月14日(2009.10.14)
【手続補正１】
【補正対象書類名】実用新案登録請求の範囲
【補正対象項目名】請求項３
【補正方法】変更
【補正の内容】
【請求項３】
前記蒸し物載置具は、電源により加熱されるヒーターを備えたこんろ本体と、当該こんろ本体のヒーターの部分にセット可能な鍋とを備えた可搬式電気こんろを構成する当該鍋に使用されることを特徴とする請求項１又は２に記載の蒸し物載置具。
【手続補正２】
【補正対象書類名】明細書
【補正対象項目名】００１０
【補正方法】変更
【補正の内容】
【００１０】
また、請求項３の考案は、請求項１又は２の考案において、前記蒸し物載置具は、電源により加熱されるヒーターを備えたこんろ本体と、当該こんろ本体のヒーターの部分にセット可能な鍋とを備えた可搬式電気こんろを構成する当該鍋に使用されることを特徴としている。